(57)【要約】 【課題】駅構内など、管理エリアへ入場又は出場する際の手荷物の忘れ物防止システム及びその入出場機を提供すること。【解決手段】手荷物に無線タグを取り付け、当該無線タグのＩＤコードを当該利用者が所持するＩＣカードのＩＤコードに関連付けて登録後、自動改札機の通路から入場し、当該管理エリアから出場する際、自動改札機の無線タグリーダ・ライタで手荷物に取り付けた当該無線タグのＩＤコードを読取る。当該無線タグのＩＤコードが利用者が所持するＩＣカードのＩＤコードに関連付けられている場合に当該自動改札機の通過を許可する。【選択図】  図１
2012027853.tif 000002
【特許請求の範囲】
【請求項１】
利用者が所持するＩＣカードの入場又は出場を判定する入出場機と、利用者の手荷物を管理するために当該手荷物に取り付けた無線タグと、この無線タグのＩＤコードを登録する上位装置と、を備えた忘れ物防止システムであって、
前記上位装置は、
前記ＩＣカードのＩＤコードに関連付けて前記無線タグのＩＤコードを登録する登録手段を備え、
前記入出場機は、
前記無線タグを読取り又は無線タグに書込む無線タグリーダ・ライタと、
この無線タグリーダ・ライタで読取った無線タグのＩＤコードを判定する手荷物判定手段と、
この手荷物判定手段による判定結果に基づいて当該入出場機の通路を通過する利用者の通行を許可又は禁止するドア制御手段と、を備え、
ドア制御手段は、
前記ＩＣカードを所持する利用者が、手荷物を持って前記入出場機の通路を通って出場する際、当該手荷物に取り付けられた無線タグのＩＤコードが当該ＩＣカードのＩＤコードに関連付けられている場合に利用者の通行を許可することを特徴とする忘れ物防止システム。
【請求項２】
利用者が所持するＩＣカードの入場又は出場を判定する入出場機と、利用者の手荷物を管理するために当該手荷物に取り付けた無線タグと、この無線タグのＩＤコードを登録する上位装置と、を備えた忘れ物防止システムの入出場機であって、
前記無線タグを読取り又は無線タグに書込む無線タグリーダ・ライタと、
この無線タグリーダ・ライタで読取った無線タグのＩＤコードを判定する手荷物判定手段と、
この手荷物判定手段による判定結果に基づいて当該入出場機の通路を通過する利用者の通行を許可又は禁止するドア制御手段と、を備え、
前記ドア制御手段は、
前記ＩＣカードを所持する利用者が、手荷物を持って前記入出場機の通路を通って出場する際、当該手荷物に取り付けられた無線タグのＩＤコードが当該ＩＣカードのＩＤコードに関連付けられている場合に利用者の通行を許可することを特徴とする忘れ物防止システムの入出場機。
【請求項３】
前記手荷物判定手段は、
利用者が所持するＩＣカードの乗車情報に関する現行判定がＯＫの場合に、当該ＩＣカードのＩＤコードに関連付けられた当該利用者の手荷物に取り付けられた無線タグのＩＤコードを判定することを特徴とする請求項２記載の忘れ物防止システムの入出場機。
【請求項４】
前記手荷物判定手段はまた、
当該手荷物の判定を行う判定日が、当該手荷物に取り付けられた無線タグの有効期限内で、かつ、当該手荷物に取り付けられた無線タグのＩＤコードが当該手荷物の所有者が所持するＩＣカードのＩＤコードに関連付けられている場合に判定ＯＫとすることを特徴とする請求項２又は請求項３記載の忘れ物防止システムの入出場機。
【請求項５】
前記手荷物判定手段はさらに、
当該手荷物の判定を行う判定日が、当該手荷物に取り付けられた無線タグの有効期限内でなく、かつ、無線タグがない場合又は認識できない場合、手荷物の判定結果によらず、判定ＯＫとすることを特徴とする請求項２、請求項３又は請求項４記載の忘れ物防止システムの入出場機。
【請求項６】
前記手荷物判定手段はさらにまた、
当該手荷物の判定を行う判定日が、当該手荷物に取り付けられた無線タグの有効期限内でなく、かつ、無線タグの有効期限内でない場合は期限切れによる判定ＮＧとし、若しくは、当該手荷物の判定を行う判定日が、当該手荷物に取り付けられた無線タグの有効期限内でなく、かつ、無線タグの有効期限内であるが無線タグのＩＤコードの判定がＮＧの場合は第３者所持として判定ＮＧとすることを特徴とする請求項２、請求項３、請求項４又は請求項５記載の忘れ物防止システムの入出場機。
【発明の詳細な説明】
【技術分野】
【０００１】
本発明の実施形態は、自動改札機など、管理エリアへ入場または出場する際の手荷物の忘れ物防止システム及びその入出場機に関する。
【背景技術】
【０００２】
鉄道又は空港施設を利用する利用者が乗車券を自動改札機に投入又は翳すことにより読取らせ、当該構内に入場又は構内から出場することができる。この際、ハンドキャリーした手荷物は、一般的には管理されないので、置き忘れてしまったことに気が付かず、第３者に持ち去られてしまうなどの課題があった。この課題を解決するするために、遺失情報通知システムが知られている（例えば、特許文献１参照。）。
【先行技術文献】
【特許文献】
【０００３】
【特許文献１】特開２００６−１７８９４２号公報（第１２−１３頁、図１５）
【発明の概要】
【発明が解決しようとする課題】
【０００４】
しかしながら、特許文献１記載の遺失情報通知システムは、施設利用領域内で紛失したとき、紛失したことを知らずに施設から退場するときに通知することをその趣旨としているため、自動改札機による通行の阻止又は第３者が他人の所持品を所有して自動改札機から退出することを阻止する機能を有していないため、第３者に持ち去られる危険性があるという課題がある。
【０００５】
本発明は、上述した課題を解決するためになされたもので、手荷物に無線タグを対応付け、当該無線タグのＩＤコードを利用者の所持するＩＣカードのＩＤコードと関連付けて登録することにより当該利用者が施設から自動改札機を利用して退出する際に手荷物を忘れて退出又は第３者による持ち去りを防止する手荷物の忘れ物防止システム及びその入場機を提供することを目的とする。
【課題を解決するための手段】
【０００６】
上記目的を達成するために、本発明の請求項１記載の忘れ物防止システムは、利用者が所持するＩＣカードの入場又は出場を判定する入出場機と、利用者の手荷物を管理するために当該手荷物に取り付けた無線タグと、この無線タグのＩＤコードを登録する上位装置と、を備えた忘れ物防止システムであって、前記上位装置は、前記ＩＣカードのＩＤコードに関連付けて前記無線タグのＩＤコードを登録する登録手段を備え、前記入出場機は、前記無線タグを読取り又は無線タグに書込む無線タグリーダ・ライタと、この無線タグリーダ・ライタで読取った無線タグのＩＤコードを判定する手荷物判定手段と、この手荷物判定手段による判定結果に基づいて当該入出場機の通路を通過する利用者の通行を許可又は禁止するドア制御手段と、を備え、ドア制御手段は、前記ＩＣカードを所持する利用者が、手荷物を持って前記入出場機の通路を通って出場する際、当該手荷物に取り付けられた無線タグのＩＤコードが当該ＩＣカードのＩＤコードに関連付けられている場合に利用者の通行を許可することを特徴とする。
【０００７】
また、本発明の請求項２記載の忘れ物防止システムの自動改札機は、利用者が所持するＩＣカードの入場又は出場を判定する入出場機と、利用者の手荷物を管理するために当該手荷物に取り付けた無線タグと、この無線タグのＩＤコードを登録する上位装置と、を備えた忘れ物防止システムの入出場機であって、前記無線タグを読取り又は無線タグに書込む無線タグリーダ・ライタと、この無線タグリーダ・ライタで読取った無線タグのＩＤコードを判定する手荷物判定手段と、この手荷物判定手段による判定結果に基づいて当該入出場機の通路を通過する利用者の通行を許可又は禁止するドア制御手段と、を備え、前記ドア制御手段は、前記ＩＣカードを所持する利用者が、手荷物を持って前記入出場機の通路を通って出場する際、当該手荷物に取り付けられた無線タグのＩＤコードが当該ＩＣカードのＩＤコードに関連付けられている場合に利用者の通行を許可することを特徴とする。
【図面の簡単な説明】
【０００８】
【図１】本発明の実施例に係る忘れ物防止システムの一例
【図２】図１に示す忘れ物防止システムに係る自動改札機の一例
【図３】図１に示す忘れ物防止システムに係る自動改札機を使用する場合の一例
【図４】図１に示すＩＣカード及び無線タグの一例
【図５】自動改札機による手荷物判定処理のフローチャート
【発明を実施するための形態】
【０００９】
本発明の実施例に係る自動改札機による忘れ物防止システムは、乗車券としてのＩＣカードと手荷物に添付した無線ＩＣタグ（以下、無線タグと称する。）を関連付けて登録することにより、手荷物ごとの物品名称の登録を行わなくとも、当該ＩＣカード利用者が、手荷物を紛失した状態で施設利用領域内から出場することを阻止することができる。以下、図面を参照し本発明の実施例を説明する。
【実施例】
【００１０】
図１は、本発明の実施例に係る忘れ物防止システムの1例である。図２は、図１に示す忘れ物防止システムに係る自動改札機の一例である。図３は、図１に示す忘れ物防止システムに係る自動改札機を使用する場合の一例である。以下、これらの図を参照して説明する。
【００１１】
鉄道を利用する乗客等利用者が、手荷物６０としての荷物６１及び乗車券として利用可能な無線ＩＣカード（以下、ＩＣカードと称する。）Ｔを所持している場合を示すが、さらに携帯電話６２を携帯している場合を想定する。
【００１２】
利用者は、手荷物６０を持ったまま自動改札機（入出場機）１０を通過する前に、荷物管理サーバ（上位装置）２０に手荷物６０を登録する。荷物管理サーバ２０は、ＣＰＵ、メモリ及び入出力部を備え、メモリに組み込まれたプログラムを実行することにより登録手段としての機能させることができ、機無線タグのＩＤコードをＩＣカードのＩＤコードに関連して登録することができる。また、当該発行したＩＤコードの検索可能なデータベースサーバを構成する。
【００１３】
上述した登録際、手荷物６０の名前を登録するのではなく、忘れ物防止システムを利用するのに必要な無線タグのＩＤコードの発行を受ける。この無線タグのＩＤコードは、上記乗車券としてのＩＣカードＴに紐付け（関連付け）して登録される。例えば、利用者Ａが所持するＩＣカードＡ（ここでは、他の利用者が所持するＩＣカードと区別するためにＩＣカードＡとする。）のＩＤコードがＡ１であるき、当該ＩＣカードＡのＩＤコードＡ１に関連付けて、荷物６１の無線タグのＩＤコードａ１、及び携帯電話６２のＩＤコードａ２を登録する。すなわち、ＩＣカードＡを所有すら利用者は無線タグａ１である荷物６１と無線タグａ２である携帯電話６２を所有していることが登録される。なお、この登録の際、当該無線タグのＩＤコードａ１の属性として荷物６１の外観を写した写真を登録することも可能である。
【００１４】
上記無線タグのＩＤコードは、物品毎に設定しておいてもよいし、ユニークなコードとしてもよい。物品ごとに設定した場合は無線タグのＩＤコードも単純なコードで管理することが可能になるが、同一ＩＤコードが複数発行されることになる。しかしながら、ＩＣカードのＩＤコードは重複して発行させないことを前提にすれば、手荷物の無線タグのＩＤコードは、物品毎に設定したコードであっても、手荷物の忘れ物をした利用者に注意を喚起し、又は第３者による持ち出し防止には効果がある。
【００１５】
一方、ユニークなコードを用いた場合には、手荷物の物品と１対１に対応するため、認識間違いなどを防ぐことができるが、ＩＤコードの桁数が多くなり、管理が複雑になることが考えられる。
【００１６】
このＩＣカードＴのＩＤコードの発行を受ける方法には、例えば、無線タグを購入し、乗車券としてのＩＣカードに紐付けして当該無線タグのＩＤコードを登録し、当該登録された無線タグを当該手荷物６０に取り付け又は貼り付けて用いる。
【００１７】
例えば、図示した本実施例では、荷物６１及び携帯電話６２の忘れ物防止用に発行された無線タグのＩＤコードが、所持するＩＣカードＴに関連して個々に登録される。
【００１８】
この登録の後、利用者は当該登録した手荷物６０をもって自動改札機１０から施設内（この場合は駅構内）に入場し（図３参照）、鉄道を利用して目的地に移動することになる。
【００１９】
万が一、鉄道施設内に忘れ物をした当事者は、忘れ物当事者７０に該当し、忘れ物が遺失物管理サーバ３０に登録されていないか確認することができる。
【００２０】
図２は、図１に示す忘れ物防止システムに係る自動改札機の一例で、出場の際使用される自動改札機１１又は１２である。例えば、上述した利用者が、目的地に到着し、当該目的地に設置されている自動改札機１１又は１２を利用して出場する場合が該当する。
【００２１】
ここで図２（１）は、第３者が、第３者の所持するＩＣカードＴを翳して、荷物６１を持って、当該自動改札機１１から出場する場合を示しており、当該第３者が他人の荷物６１を携帯して出場することを防止するために、自動改札機１１は、当該自動改札機１１のドアを閉じ、かつ、表示器（図３の１０ｃが相当する。）に「自動改札機で出場できません」表示を行い、第３者に警報する。
【００２２】
一方、図２（２）は、本来の荷物６１の所有者が荷物６１を鉄道車両内又は施設内に置き忘れて出場する場合を示しており、当該本来の荷物の所有者に荷物を行き忘れていることを知らせるために、自動改札機１２は、当該自動改札機１２のドアを閉じ、かつ、「自動改札機で出場できません」表示を行い、本来の荷物の所有者である鉄道施設の利用者に忘れ物をした状態で通過しようとしていることを通知する。
【００２３】
上記図２（１）の場合、ＩＣカードのＩＤコードに関連付けられて登録された手荷物の無線タグのＩＤコードは第３者の所持するＩＣカードに関連付けられて登録された無線タグのＩＤコードではないために、自動改札機１１による判定がＮＧとなる。この場合、自動改札機１１は、当該ＮＧ情報を荷物管理サーバ２０に送信する。
【００２４】
荷物管理サーバ２０は、当該ＮＧ情報を遺失物管理サーバ３０に送信する。例えば、手荷物６１の本来の所有者が上記図２（２）の態様により、手荷物を忘れたことに気が付き、当該情報を駅係員に届け出た場合、当該駅係員は、遺失物管理サーバ３０に遺失物として管理されていないか確認すると共に、当該荷物６１を遺失物として登録する。その際、当該荷物６１に貼り付けられた無線タグのＩＤコードを登録される。
【００２５】
図４は、図１に示すＩＣカードＴ及び無線タグの一例である。図４（１）は、Ａが所持するＩＣカードＡ及びそれに関連付けられた複数の無線タグ１〜３のＩＤコードを示す。図４（２）は、Ｂが所持するＩＣカードＢ及びそれに関連付けられた複数の無線タグ１〜３のＩＤコードを示す。本実施例では、物品名毎にＩＤコードが定められている場合を示す。この場合には、同一物品名には同一ＩＤコードが設定されるため、ＩＤコードが無限に増加することがなく管理しやすいという利点がある。しかしながら、これに限るものではなく、ユニークなＩＤコードを設定することも可能である。
【００２６】
（１）Ａが所持するＩＣカードＡ
ＩＣカードＡのＩＤコード：Ａ１
ＩＣカードＡの有効期限：１００１０１〜１００６３０
（１０年１月１日〜１０年６月３０日）
当該ＩＣカードＡのＩＤコードに関連付けられた無線タグのＩＤコードとして下記３件登録されている場合
無線タグ１のＩＤコード：ａ１
無線タグ２のＩＤコード：ａ２
無線タグ３のＩＤコード：ａ３
（２）Ｂが所持するＩＣカード
ＩＣカードＢのＩＤコード：Ｂ１
ＩＣカードＢの有効期限：１００４１６〜１０５１５
（１０年４月１６日〜１０年５月１５日）
当該ＩＣカードＢのＩＤコードに関連付けられた無線タグのＩＤコードとして下記３件登録されている場合
無線タグ１のＩＤコード：ａ１
無線タグ２のＩＤコード：ａ２
無線タグ３のＩＤコード：ａ３
図４（３）は、無線タグ１に関連付けたＩＣカードを示しており、本実施例では、ＩＣカードＡ及びＩＣカードＢが存在することを示す。図４（４）は、無線タグ２に関連付けたＩＣカードを示しており、本実施例では、図４（３）同様ＩＣカードＡ及びＩＣカードＢが存在することを示す。
【００２７】
図５は、自動改札機１０による手荷物判定処理のフローチャートである。自動改札機１０は、無線タグリーダ・ライタ１０ａ及びドア１０ｂを有して構成されており、無線タグのＩＤデータは無線タグリーダ・ライタ１０ａで読取られ、手荷物判定手段によって判定される。また、この判定結果に基づいてドア制御手段が利用者の通行を許可又は禁止するためにドア１０ｂの開閉制御を行う。なお、他の自動改札機１１、１２の場合であっても対応する無線タグリーダ・ライタによって読取られた無線タグのＩＤデータに基づいて手荷物判定手段によって判定され、その判定結果に基づいてドア制御手段がドアの開閉を制御する。以上のことを前提に、手荷物判定処理のフローチャートを説明する。
【００２８】
自動改札機による現行判定の結果、判定ＯＫの場合（Ｓ１０のＹ）、忘れ物防止システムをスタートする（Ｓ１２）。また、現行判定の結果、判定ＮＧの場合（Ｓ１０のＮ）、現行処理が行われる。すなわち、自動改札機によりドアが閉じられ、かつ、表示器の異常ランプが点滅する（Ｓ１１）。
【００２９】
当該判定日が無線タグの有効期限内か確認する（Ｓ１３）。この確認の結果、有効期限内であれば（Ｓ１３のＮ）、忘れ物防止システム作動中を利用者に通知する（Ｓ１４）。
【００３０】
次に、無線タグのＩＤコードの判定が正しいか確認する（Ｓ１５）。この確認の結果、判定ＯＫであれば（Ｓ１５のＹ）、当該自動改札機の通行が許可される（Ｓ１６）。一方、無線タグＩＤコードの判定が正しくない場合には（Ｓ１５のＮ）、判定ＮＧとして、当該自動改札機による通行が禁止される（Ｓ１７）。
【００３１】
ステップＳ１３において、判定日が無線タグの有効期限内でない場合（Ｓ１３のＮ）、無線タグが無線タグのリーダ・ライタ１１ａ（自動改札機１１を利用した場合）によって認識されたか確認する（Ｓ１８）。この確認の結果、無線タグが認識されない場合は、無線タグが取り付け又は貼り付けられた手荷物６０が存在しないため現行処理どおり、通行判定ＯＫとして自動改札機の通過が許可される。
【００３２】
一方、無線タグが認識された場合（Ｓ１８のＹ）、当該無線タグの有効期限を判定する（Ｓ２０）。この判定の結果、無線タグが有効期限にない場合は、有効期限切れによるＮＧ判定を行う（Ｓ２１）。従って、この場合は通行が禁止される。
【００３３】
無線タグが有効期限内であれば（Ｓ２０のＹ）、無線タグのＩＤコードを判定する（Ｓ２２）。この判定の結果、無線タグのＩＤコードがＮＧの場合（Ｓ２２のＮ）、第３者所持によるＮＧ判定を行う（Ｓ２３）。すなわち、この場合は、第３者が、無線タグが取り付け又は貼り付けられた他人の手荷物を持って自動改札機から出場しようっとしているものとして、自動改札機はＮＧ判定を行い、自動改札機による出場を禁止する。
【００３４】
一方、無線タグのＩＤコードがＯＫの場合（Ｓ２２のＹ）、正常判定として自動改札機の通行が許可される（Ｓ２４）。
【００３５】
以上説明したように、本発明の実施例によれば、所持品に無線タグを対応付け、当該無線タグのＩＤを利用者の所持するＩＣカードのＩＤコードと関連付けて登録することにより当該利用者が施設から自動改札機を利用して退出する際に手荷物を忘れて退出又は第３者による持ち去りを防止する手荷物の忘れ物防止システム及びその入場機を提供することができる。
【符号の説明】
【００３６】
１０、１１  自動改札機
１０ａ、１０ｂ  無線タグリーダ・ライタ
２０  荷物管理サーバ
３０  遺失物管理サーバ
６０  手荷物
６１  荷物
６２  携帯電話
Ｔ  ＩＣカード
７０  忘れ物等当事者
【図１】
2012027853.tif 000003
【図２】
2012027853.tif 000004
【図３】
2012027853.tif 000005
【図４】
2012027853.tif 000006
【図５】
2012027853.tif 000007